(57)【要約】【課題】書類に記録されたデータの入力におけるオペレータへの情報漏洩を防ぐことである。【解決手段】複数の項目のデータが記録された書類の画像を読み取り画像データを取得する読取手段と、前記画像データから各項目の項目画像データを抽出し、当該項目画像データをＯＣＲ認識してＯＣＲデータを取得する認識手段と、前記項目画像データ及び前記ＯＣＲデータを関連付けて配置した入力用フォームデータを作成するフォーム作成手段と、前記入力用フォームデータ及び修正情報に基づいて前記各項目の文字データを含む成果物データを生成する集計手段と、を有するデータセンタサーバ１０と、前記入力用フォームデータを表示する表示手段と、前記入力用フォームデータに対応するＯＣＲデータの修正情報の操作入力を受け付ける入力手段と、を有する入力端末２０Ａ〜２０Ｃと、を備える。【選択図】  図１
2007265105.tif 000002
【特許請求の範囲】
【請求項１】
複数の項目のデータが記録された書類の画像を読み取り画像データを取得する読取手段と、
前記画像データから各項目の項目画像データを抽出し、当該項目画像データをＯＣＲ認識してＯＣＲデータを取得する認識手段と、
前記項目画像データ及び前記ＯＣＲデータを関連付けて配置した入力用フォームデータを作成するフォーム作成手段と、
前記入力用フォームデータを表示する表示手段と、
前記入力用フォームデータに対応するＯＣＲデータの修正情報の操作入力を受け付ける入力手段と、
前記入力用フォームデータ及び前記修正情報に基づいて前記各項目の文字データを含む成果物データを生成する集計手段と、を備えることを特徴とする書類データ入力システム。
【請求項２】
前記ＯＣＲデータの修正情報に基づいて前記各項目の入力数を算出する入力数算出手段と、
前記算出された入力数を記憶する入力数記憶手段と、を備え、
前記フォーム作成手段は、前記記憶された入力数が低い項目の入力用フォームデータを優先的に作成することを特徴とする請求項１記載の書類データ入力システム。
【請求項３】
前記ＯＣＲデータの修正情報に基づいて前記各項目の入力精度を算出する入力精度算出手段と、
前記算出された入力精度を記憶する入力精度記憶手段と、を備えることを特徴とする請求項１又は２に記載の書類データ入力システム。
【請求項４】
前記修正情報を入力したオペレータごとの前記成果物データへの前記各項目の採用数を含む入力履歴データを作成する入力履歴作成手段と、
前記算出された入力履歴データを記憶する入力履歴記憶手段と、
前記フォーム作成手段は、前記入力手段を操作入力するオペレータに応じて、当該オペレータに対応する前記記憶された採用数が高い項目の入力用フォームデータを優先的に作成することを特徴とする請求項１から３のいずれか一項に記載の書類データ入力システム。
【請求項５】
コンピュータを、
複数の項目のデータが記録された書類の画像を読み取り画像データを取得する読取手段、
前記画像データから各項目の項目画像データを抽出し、当該項目画像データをＯＣＲ認識してＯＣＲデータを取得する認識手段、
前記項目画像データ及び前記ＯＣＲデータを関連付けて配置した入力用フォームデータを作成するフォーム作成手段、
前記入力用フォームデータを表示する表示手段、
前記入力用フォームデータに対応するＯＣＲデータの修正情報の操作入力を受け付ける入力手段、
前記入力用フォームデータ及び前記修正情報に基づいて前記各項目の文字データを含む成果物データを生成する集計手段、
として機能させることを特徴とするプログラム。
【発明の詳細な説明】
【技術分野】
【０００１】
本発明は、書類データ入力システム及びプログラムに関する。
【背景技術】
【０００２】
従来、予め記入する項目の種類及び位置が決められた帳票に各項目のデータが手書きにより記入され、その記入された帳票から、各データを取得することによりデータを入力する方式が考えられている。図２０（ａ）に、従来の第１のデータ入力方式の手順を示す。図２０（ｂ）に、従来の第２のデータ入力方式の手順を示す。
【０００３】
図２０（ａ）に示すように、複数の手書きの書類Ｄ１を、複数のオペレータＯＰ１が各データを閲覧して、ＰＣ（Personal Computer）等の各入力端末に電子データとして入力し、入力されたデータをデータベースＤＢ１に記憶する方式があった。
【０００４】
また、図２０（ｂ）に示すように、複数の手書きの書類Ｄ２を、スキャナＳＣにより画像データとして読み取り、その画像データをＯＣＲ（Optical Character Recognition）機能により文字データに自動変換する。そして、複数のオペレータＯＰ２が、変換された各文字データと書類Ｄ２とを閲覧して、各入力端末に各文字データのうち誤認識されている箇所を修正入力し、修正作業後のデータをデータベースＤＢ２に記憶する方式があった。
【０００５】
近年、データ入力時の情報漏洩が問題となっている。例えば、電子化されたデータ、例えば企業の顧客データ等が流出して訴訟が起こされている。しかし、企業での顧客のアンケート、契約書類や、企業以外でも、住民基本台帳や、国税調査等、手書き書類を電子データ化する需要は高まっている。情報漏洩の観点からは、オペレータが手書き書類の一連の項目を読み取れてしまう状況は好ましくない。このため、オペレータへの情報漏洩対策がなされたデータの入力方式も考えられている。
【０００６】
例えば、異なる記入者の手書き書類をスキャナで読み取り画像データに変換し、読み取った画像データを入力項目ごとに分割して分割データとし、異なる記入者の分割データを組み合わせて（分割データをスクランブルして）手書き書類の配信イメージデータを作成し、この配信イメージデータをオペレータに配信して閲覧及びそのデータ入力させて、その入力データをデータベースに記憶する方式が考えられている（例えば、特許文献１参照）。この方式によれば、同一書類内の項目の関連性を喪失させるので、オペレータに対して、特定の個人に対応する手書き書類の情報漏洩を防ぐ。
【０００７】
図２１に、従来の第３のデータ入力方式の手順を示す。また、図２１に示すように、複数の手書きの書類Ｄ３を、スキャナＳＣにより画像データとして読み取り、その画像データをＯＣＲ機能により文字データに自動変換し、ＯＣＲ機能により認識できなかった項目Ｄ３２１以外をマスク化して入力用フォームＤ３２を作成する。複数のオペレータＯＰ３が、入力用フォームを閲覧して、各入力端末にデータ入力し、入力データをデータベースＤＢ３に記憶する方式が考えられている（例えば、特許文献２参照）。この方式によれば、書類内の不必要な情報が閲覧できないので、オペレータに対して、特定の個人に対応する手書き書類の情報漏洩を防ぐ。
【特許文献１】特開２００４−１０２８２０号公報
【特許文献２】特開２００５−２５３２３号公報
【発明の開示】
【発明が解決しようとする課題】
【０００８】
しかし、上記従来のデータ入力方式において、オペレータに対する情報漏洩をさらに防ぐ要請がある。例えば、特許文献１に示す方式では、オペレータ側で個人を特定することは難しいが、手書き書類の項目構成は類推が可能となるおそれがあった。また、特許文献２に示す方式では、同一のオペレータが、マスク化された同形式の入力用フォームを閲覧してデータ入力する場合に、複数の入力用フォームの入力対象が異なる項目であると、手書き書類の項目構成は類推が可能となるおそれがあった。
【０００９】
本発明の課題は、書類に記録されたデータの入力におけるオペレータへの情報漏洩を防ぐことである。
【課題を解決するための手段】
【００１０】
上記課題を解決するために、本発明の書類データ入力システムは、
複数の項目のデータが記録された書類の画像を読み取り画像データを取得する読取手段と、
前記画像データから各項目の項目画像データを抽出し、当該項目画像データをＯＣＲ認識してＯＣＲデータを取得する認識手段と、
前記項目画像データ及び前記ＯＣＲデータを関連付けて配置した入力用フォームデータを作成するフォーム作成手段と、
前記入力用フォームデータを表示する表示手段と、
前記入力用フォームデータに対応するＯＣＲデータの修正情報の操作入力を受け付ける入力手段と、
前記入力用フォームデータ及び前記修正情報に基づいて前記各項目の文字データを含む成果物データを生成する集計手段と、を備えることを特徴とする。
【００１１】
また、例えば、前記ＯＣＲデータの修正情報に基づいて前記各項目の入力数を算出する入力数算出手段と、
前記算出された入力数を記憶する入力数記憶手段と、を備え、
前記フォーム作成手段は、前記記憶された入力数が低い項目の入力用フォームデータを優先的に作成することとして構成してもよい。
【００１２】
また、例えば、前記ＯＣＲデータの修正情報に基づいて前記各項目の入力精度を算出する入力精度算出手段と、
前記算出された入力精度を記憶する入力精度記憶手段と、を備えることとして構成してもよい。
【００１３】
また、例えば、前記修正情報を入力したオペレータごとの前記成果物データへの前記各項目の採用数を含む入力履歴データを作成する入力履歴作成手段と、
前記算出された入力履歴データを記憶する入力履歴記憶手段と、
前記フォーム作成手段は、前記入力手段を操作入力するオペレータに応じて、当該オペレータに対応する前記記憶された採用数が高い項目の入力用フォームデータを優先的に作成することとして構成してもよい。
【発明の効果】
【００１４】
本発明によれば、表示される項目画像データ及びＯＣＲデータからオペレータが書類の構成等を類推することが困難となり、書類に記録されたデータの入力におけるオペレータへの情報漏洩を防ぐことができる。
【発明を実施するための最良の形態】
【００１５】
以下、添付図面を参照して本発明に係る好適な実施の形態を詳細に説明する。なお、本発明は、図示例に限定されるものではない。
【００１６】
先ず、図１〜図３を参照して、本実施の形態の装置構成を説明する。図１に、本実施の形態の書類データ入力システム１の構成を示す。
【００１７】
図１に示すように、本実施の形態の書類データ入力システム１は、データセンタサーバ１０と、入力端末２０Ａ〜２０Ｃと、を備えて構成され、各装置が通信ネットワークｎを介して通信接続される。入力端末２０Ａ〜２０Ｃは、それぞれ、入力端末を代表的に示したものであり、この台数に限定されるものではない。
【００１８】
データセンタサーバ１０は、手書き書類を読み込んで画像データに変換し、入力用フォームデータを作成して入力端末２０Ａ〜２０Ｃに通信ネットワークｎを介して配信するとともに、入力済フォームデータを入力端末２０Ａ〜２０Ｃから受信して集計等を行う。手書き書類は、例えば、記入項目欄が枠で仕切られ、記入者が各欄内に項目を手書きで記入し、所定の項目が予め決められた位置に記入されている書類である。
【００１９】
入力端末２０Ａ〜２０Ｃは、ＰＣ等により構成されるオペレータのデータ入力を受け付ける端末装置である。入力端末２０Ａ〜２０Ｃは、データセンタサーバ１０から通信ネットワークｎを介して入力用フォームデータを受信し、入力用フォームデータに基づくオペレータによる修正入力後に、入力済フォームデータとしてデータセンタサーバ１０に送信する。入力端末２０Ａ〜２０Ｃは、それぞれ入力を行うオペレータが異なるとともに、各オペレータの専用端末とする。
【００２０】
通信ネットワークｎは、例えば、ＬＡＮ（Local Area Network）、ＷＡＮ（Wide Area Network）とし、電話回線、専用線、移動体通信網、通信衛星網、ＣＡＴＶ（Cable Television）回線、インターネットプロバイダ等を含めてもよい。
【００２１】
図２に、データセンタサーバ１０の内部構成を示す。データセンタサーバ１０は、ＣＰＵ（Central Processing Unit）１１と、入力部１２と、ＲＡＭ（Random Access Memory）１３と、表示部１４と、入力数記憶手段、入力精度記憶手段及び入力履歴記憶手段としての記憶部１５と、通信部１６と、読取手段としてのスキャナ１７と、を備えて構成され、各部がバス１８を介して接続される。
【００２２】
ＣＰＵ１１は、データセンタサーバ１０の各部を中央制御する。ＣＰＵ１１は、記憶部１５に記憶されているシステムプログラム及び各種アプリケーションプログラムの中から指定されたプログラムをＲＡＭ１３に展開し、ＲＡＭ１３に展開されたプログラムとの協働で、各種処理を実行する。
【００２３】
ＣＰＵ１１は、データ入力集計プログラムとの協働で、手書き書類Ｄ０を読み取り画像データに変換し、各属性の画像データ及びＯＣＲデータを含むオペレータの修正入力用の入力用フォームデータを作成して入力端末２０Ａ〜２０Ｃに送信するとともに、オペレータにより修正入力がなされた入力済フォームデータを受信して集計及びユーザプロファイル更新を行う。ＣＰＵ１１は、データ入力集計プログラムとの協働により、認識手段、フォーム作成手段、集計手段、入力数算出手段、入力精度算出手段、入力履歴算出手段、として機能する。
【００２４】
入力部１２は、カーソルキー、数字入力キー及び各種機能キーなどを備えたキーボードを含む構成とし、操作者（管理者）によりキーボードで押下された押下信号をＣＰＵ１１に出力する。また、入力部１２は、マウスなどのポインティングデバイスを含む構成としてもよい。
【００２５】
ＲＡＭ１３は、揮発性のメモリであり、実行される各種プログラムやこれら各種プログラムに係るデータ等を格納するワークエリアを有し、情報を一時的に格納する。
【００２６】
表示部１４は、ＬＣＤ（Liquid Crystal Display）、ＣＲＴ（Cathode Ray Tube）等で構成され、ＣＰＵ１１からの表示信号に従って画面表示を行う。
【００２７】
記憶部１５は、各種プログラム、各種データなどが予め記憶され又は書込み可能な記録媒体（図示せず）を有し、各種情報を読み出し可能に記録媒体に記憶するＨＤＤ（Hard Disk Drive）等の記憶部とする。記憶部１５は、各種データを格納するＤＢ（Data Base）１５１を有する。
【００２８】
記憶部１５は、データ入力集計プログラムを記憶する。また、ＤＢ１５１は、定義データ３０と、フォーム作成用データ４０と、入力用フォームデータと、ユーザプロファイル５０と、入力済フォームデータ６０と、入力履歴データ７０と、成果物データ８０と、を格納する。
【００２９】
通信部１６は、モデム、ＴＡ（Terminal Adapter）、ルータ、ネットワークカード等により構成され、接続される通信ネットワークｎ上の入力端末２０Ａ〜２０Ｃ等の外部機器と情報を送受信する。
【００３０】
図３に、入力端末２０Ａの内部構成を示す。図３に示すように、入力端末２０Ａは、ＣＰＵ２１と、入力手段としての入力部２２と、ＲＡＭ２３と、表示手段としての表示部２４と、記憶部２５と、通信部２６と、を備えて構成され、各部がバス２７を介して接続される。
【００３１】
ここでは、入力端末２０Ａを代表して説明するが、入力端末２０Ｂ，２０Ｃも同様である。また、ＣＰＵ２１、入力部２２、ＲＡＭ２３、表示部２４、記憶部２５、通信部２６、バス２７は、データセンタサーバ１０のＣＰＵ１１、入力部１２、ＲＡＭ１３、表示部１４、記憶部１５、通信部１６、バス１８と同様であり、異なる部分を主として説明する。
【００３２】
ＣＰＵ２１は、記憶部２５に記憶されてＲＡＭに展開されるデータ入力プログラムとの協働で、データセンタサーバ１０から入力用フォームデータを受信し、オペレータの修正入力を受け付け、その修正入力に基づいて入力済フォームデータを作成してデータセンタサーバ１０に送信する。
【００３３】
記憶部２５は、データ入力プログラムを記憶する。通信部２６は、通信ネットワークｎ上のデータセンタサーバ１０等の外部機器と情報の送受信を行う。
【００３４】
次に、図４〜図１０を参照して、書類データ入力システム１で扱うデータを説明する。図４に、定義データ３０の構成を示す。
【００３５】
図４に示すように、定義データ３０は、手書き書類Ｄ０の各属性（項目）の位置を定義するための情報である。定義データ３０は、予め作成されてＤＢ１５１に格納されている。手書き書類Ｄ０とは、複数種類の手書き書類を代表して示すものであり、定義データ３０も手書き書類Ｄ０の種類数に応じた種類のものが作成される。
【００３６】
定義データ３０は、属性３１と、文字種類３２と、座標３３と、を有する。属性３１は、手書き書類Ｄ０の各項目を示す。文字種類３２は、属性３１の文字の種類を示す。座標３３は、手書き書類Ｄ０の内での属性３１の座標を示す。
【００３７】
図５に、フォーム作成用データ４０の構成を示す。図５に示すフォーム作成用データ４０は、入力端末２０Ａ〜２０Ｃでオペレータが手書き書類のＯＣＲデータのチェック及び修正を行うための入力用フォームデータを作成するための情報である。フォーム作成用データ４０は、データセンタサーバ１０により実行されるデータ入力集計処理において作成される情報である。
【００３８】
フォーム作成用データ４０は、書類Ｎｏ４１と、属性４２と、画像データ４３と、ＯＣＲデータ４４と、入力数４５と、入力精度４６と、を有する。書類Ｎｏ４１は、手書き書類Ｄ０を識別する識別番号である。属性４２は、書類Ｎｏ４１の手書き書類の属性である。画像データは、スキャナ１７で読み取られた書類Ｎｏ４１の手書き書類の画像データが、属性４２毎に切り取られた画像データである。ＯＣＲデータ４４は、画像データ４３がＯＣＲ処理により変換された各文字データである。入力数４５は、属性４２毎の全オペレータの入力数を示す。入力精度４６は、属性４２毎の全オペレータの入力精度を示す。
【００３９】
図６（ａ）に、フォーム作成用データ４０Ａの構成を示す。図６（ｂ）に、フォーム作成用データ４０Ｂの構成を示す。図６（ｃ）に、ユーザプロファイル５０の構成を示す。
【００４０】
図６（ａ）に示すように、データ入力集計処理において、フォーム作成用データ４０及び定義データ３０に基づいて、同一の書類Ｎｏ４１における、属性４２と、文字種類４７と、入力数４５と、を有するフォーム作成用データ４０Ａが作成される。また、図６（ｂ）に示すように、フォーム作成用データ４０Ａに基づいて、フォーム作成用データ４０Ａの属性毎の入力数の多い３レコードを有するフォーム作成用データ４０Ｂが作成される。フォーム作成用データ４０Ａ，４０Ｂは、例えば、所定の書類Ｎｏ４１毎の情報とする。
【００４１】
また、図６（ｃ）に示すように、オペレータ毎のデータ入力状況を示すユーザプロファイル５０が予め作成されて、更新可能にＤＢ１５１に格納される。ユーザプロファイル５０は、オペレータ毎に作成される。ユーザプロファイル５０は、文字種類５１と、入力数５２と、採用数５３と、を有する。入力数５２は、文字種類５１毎の全修正データ入力数である。採用数５３は、文字種類５１毎の入力数５２のうち最終成果として成果物データ８０に採用された修正データ入力数を示す。
【００４２】
図７に、フォーム作成用データ４０Ｃの構成を示す。図７に示すように、フォーム作成用データ４０Ｃは、フォーム作成用データ４０Ａのうち、属性４２が同一（例えば、属性が“規格１”とする）であるレコードを抽出したデータである。フォーム作成用データ４０Ｃは、データ入力集計処理において作成される情報である。
【００４３】
図８に、入力済フォームデータ６０の構成を示す。図８に示すように、入力済フォームデータ６０は、入力端末２０Ａ〜２０Ｃにおいて、オペレータにより修正データ入力された後のフォームデータである。入力済フォームデータ６０は、入力端末２０Ａ〜２０Ｃにより実行されるデータ入力処理において作成され、データセンタサーバ１０に送信される。
【００４４】
入力済フォームデータ６０は、通番６１と、書類Ｎｏ６２と、属性６３と、入力画像６４と、ＯＣＲデータ６５と、ステータス６６と、修正項目６７と、を有する。通番６１は、書類Ｎｏ６２の通番である。同一の入力済フォームデータ６０では、属性６３が同一であるものとする。
【００４５】
ステータス６６は、ＯＣＲデータ６５が状態を示す情報であり、ＯＣＲデータ６５が入力画像６４に比べて正しく変換されている状態を示す“正しい”と、オペレータにより入力画像６４が視覚により認識できずＯＣＲデータ６５が入力画像６４に比べて正しく変換されているか判別不能である状態を示す“判別可能”と、ＯＣＲデータ６５が入力画像６４に比べて正しく変換されていないが入力画像６４が視覚により認識できて修正入力が可能な状態を示す“修正可能”と、のいずれか一つが格納される。修正項目６７は、ステータス６６が“修正可能”である場合に、その修正データ（オペレータが入力画像６４から読み取った文字データ）が格納される。
【００４６】
データセンタサーバ１０によりデータ入力集計処理で作成されて入力端末２０Ａ〜２０Ｃに送信される入力用フォームデータは、オペレータの修正データ入力前のフォームデータであり、入力済フォームデータ６０のうちステータス６６及び修正項目６７にデータが格納されていない情報となる。
【００４７】
図９に、入力履歴データ７０の構成を示す。入力履歴データ７０は、所定の入力画像についての全オペレータの修正入力履歴を示す情報である。入力履歴データ７０は、データ入力集計処理において入力済フォームデータ６０に基づき作成され、更新可能にＤＢ１５１に記憶される。
【００４８】
入力履歴データ７０は、入力履歴７１と、修正項目７２と、投票数７３と、を有する。入力履歴７１は、修正項目７２を識別する通番である。修正項目７２は、所定の入力画像についての修正後の文字データである。投票数７３は、修正項目７２について、修正された数（入力済フォームデータ６０ごと（オペレータごと）に１票となる）である。
【００４９】
図１０に、成果物データ８０の構成を示す。図１０に示すように、成果物データ８０は、手書き書類Ｄ０についての最終成果としての情報である。成果物データ８０は、データ入力集計処理において作成され、ＤＢ１５１に記憶される。
【００５０】
成果物データ８０は、書類Ｎｏ８１と、属性８２と、データ８３と、を有する。データ８３は、書類Ｎｏ８１における属性８２毎の最終成果としての文字データであり、修正後の文字データ、修正せずとも正しいＯＣＲデータを含み、判別不能で変換できていない場合の空きデータも含まれる。
【００５１】
次に、図１１〜図１９を参照して、書類データ入力システム１の動作を説明する。先ず、図１１〜図１７を参照して、データセンタサーバ１０において実行されるデータ入力集計処理を説明する。図１１に、データセンタサーバ１０において実行されるデータ入力集計処理の流れを示す。図１２に、データ入力集計処理におけるフォーム作成処理の流れを示す。図１３に、フォーム作成処理におけるオペレータ入力属性決定処理の流れを示す。図１４に、フォーム作成処理における入力データ候補選択処理の流れを示す。図１５に、データ入力集計処理におけるデータベース更新処理の流れを示す。図１６に、データ入力集計処理における集計処理の流れを示す。図１７に、データ入力集計処理におけるユーザプロファイル更新処理の流れを示す。
【００５２】
データ入力集計処理は、手書き書類Ｄ０に対応する属性毎の画像データ及びＯＣＲデータを含む入力用フォームデータを作成して入力端末２０Ａ〜２０Ｃに送信し、オペレータにより修正入力がなされた入力済フォームデータを受信して集計及びユーザプロファイル更新を行う処理である。データセンタサーバ１０において、例えば、入力部１２を介して、データ入力集計処理の実行指示が入力されたことをトリガとして、記憶部１５から読み出されてＲＡＭ１３に展開されたデータ入力集計プログラムと、ＣＰＵ１１と、の協働でデータ入力集計処理が実行される。
【００５３】
図１１に示すように、先ず、管理者によりスキャナ１７の読み取り台にセットされた手書き書類Ｄ０をスキャナ１７に読み取らせて画像データが生成される（ステップＳ１）。
【００５４】
そして、ステップＳ１において作成された画像データと、ＤＢ１５１に記憶される定義データ３０とに基づいて、フォーム作成用データ４０と所定オペレータに対する入力用フォームデータとを作成するフォーム作成処理が実行される（ステップＳ２）。ステップＳ２は、詳細に後述する。
【００５５】
そして、ステップＳ２で作成された入力用フォームデータが、通信部１６及び通信ネットワークｎを介して入力端末２０Ａ〜２０Ｃのうち、送信先のオペレータの入力端末に送信される（ステップＳ３）。そして、入力済フォームデータが通信ネットワークｎ及び通信部１６を介して入力端末２０Ａ〜２０Ｃから受信されてＤＢ１５１に記憶される（ステップＳ４）。
【００５６】
そして、ステップＳ４で入力された入力済フォームデータ６０に基づいて、ＤＢ１５１に記憶されるフォーム作成用データ４０を更新するデータベース更新処理が実行される（ステップＳ５）。ステップＳ５は、詳細に後述する。
【００５７】
そして、入力用フォームデータの作成及び送信を継続するか否かが判別される（ステップＳ６）。例えば、ステップＳ１で作成された画像データ及びＯＣＲデータのうち、まだ入力用フォームデータの作成及び送信がなされてないものがある場合に、継続すると判別される。入力用フォームデータの作成及び送信を継続する場合（ステップＳ６；ＹＥＳ）、ステップＳ２に移行される。
【００５８】
入力用フォームデータの作成及び送信を継続しない場合（ステップＳ６；ＮＯ）、最後の入力用フォームデータの送信時から所定期間が経過したか否かが判別される（ステップＳ７）。所定期間は、例えば、１ヶ月等とする。また、所定期間の算出の開始タイミングは、最後の入力用フォームデータの送信時等、別のタイミングでもよい。所定期間が経過していない場合（ステップＳ７；ＮＯ）、ステップＳ６に移行される。
【００５９】
所定期間が経過した場合（ステップＳ７；ＹＥＳ）、ＤＢ１５１に記憶された入力済フォームデータ６０等に基づいて成果物データ８０を生成してＤＢ１５１に記憶する集計処理が実行される（ステップＳ８）。ステップＳ８は、詳細に後述する。
【００６０】
そして、フォーム作成用データ４０に基づいて、入力数が予め設定された少なくとも要求される所定数以上であるか否かが判別される（ステップＳ９）。入力数が所定数未満である場合（ステップＳ９；ＮＯ）、ステップＳ２に移行される。
【００６１】
入力数が所定数以上である場合（ステップＳ９；ＹＥＳ）、フォーム作成用データ４０に基づいて、入力精度が少なくとも要求される所定数以上であるか否かが判別される（ステップＳ１０）。入力精度が所定数未満である場合（ステップＳ１０；ＮＯ）、入力精度が要求される数に届かず、再入力を促す旨が表示部１４に表示される（ステップＳ１１）。
【００６２】
入力精度が所定数未満である場合（ステップＳ１０；ＮＯ）、入力精度が要求される数以上であり、ＤＢ１５１に記憶された成果物データ８０が集計結果として表示部１４に表示される（ステップＳ１２）。ステップＳ１２では、データセンタサーバ１０が印刷部を有し、成果物データ８０を記録用紙に印刷して出力する構成としてもよい。
【００６３】
そして、フォーム作成用データ４０に基づいて、ＤＢ１５１に記憶されるユーザプロファイル５０を更新するユーザプロファイル更新処理が実行され（ステップＳ１３）、データ入力集計処理が終了する。
【００６４】
図１２を参照して、データ入力集計処理のステップＳ２のフォーム作成処理を説明する。ステップＳ１の実行後、記憶部１５に記憶された、手書き書類Ｄ０に対応する図４に示すような定義データ３０が読み出される（ステップＳ２１）。そして、ステップＳ２１で読み出された定義データ３０に基づいて、ステップＳ１で読み取られた画像データから選択した画像データが属性３１ごとに切り出される（抽出される）（ステップＳ２２）。
【００６５】
そして、ステップＳ２１で読み出された定義データ３０に基づいて、ステップＳ２２で切り出された画像データにＯＣＲ処理が施されて属性３１毎の文字データとしてのＯＣＲデータが取得され、切り出された画像データと、属性３１ごとのＯＣＲデータとが関連付けられて、ＤＢ１５１に記憶される（ステップＳ２３）。
【００６６】
そして、ステップＳ２３で作成された切り出し後の画像データが画像データ４３とされ、ステップＳ２２で作成されたＯＣＲデータがＯＣＲデータ４４とされ、ステップＳ１でスキャンされた手書き書類の書類Ｎｏが設定され、これらの情報と定義データ３０とに基づいて図５に示すようなフォーム作成用データ４０が作成される（ステップＳ２４）。
【００６７】
そして、オペレータ入力属性決定処理が実行される（ステップＳ２５）。ステップＳ２５は、詳細に後述する。そして、入力データ候補選択処理が実行される（ステップＳ２６）。ステップＳ２６は、詳細に後述する。そして、ステップＳ２５，Ｓ２６の処理結果に基づいて入力用フォームデータが作成され（ステップＳ２７）、フォーム作成処理が終了し、ステップＳ３に移行される。
【００６８】
図１３を参照して、フォーム作成処理のステップＳ２５のオペレータ入力属性決定処理を説明する。先ず、ステップＳ２４で作成されたフォーム作成用データ４０から、属性４２毎の入力数４５が読み出される（ステップＳ２５１）。そして、入力数４５の少ない３つの属性４２が抽出される（ステップＳ２５２）。ステップＳ２５２では、例えば、定義データ３０とフォーム作成用データ４０とから、図６（ａ）に示すフォーム作成用データ４０Ａが作成され、図６（ｂ）に示すフォーム作成用データ４０Ｂが抽出される。
【００６９】
そして、ＤＢ１５１から、修正入力を行うオペレータに対応する図６（ｃ）に示すようなユーザプロファイル５０が読み出される（ステップＳ２５３）。そして、ステップＳ２５３で読み出されたユーザプロファイル５０のレコードが採用数５３に基づいて降順でソートされる（ステップＳ２５４）。そして、変数Ｋに１が代入される（ステップＳ２５５）。
【００７０】
そして、ステップＳ２５４でソートされたユーザプロファイル５０のＫ番目の文字種類５１が、ステップＳ２５２で抽出された属性候補の文字種類４７にあるか否かが判別される（ステップＳ２５６）。文字種類４７は、定義データ３０と、属性４２とから決定される。Ｋ番目の文字種類５１が属性候補にない場合（ステップＳ２５６；ＮＯ）、変数Ｋが＋１インクリメントされ（ステップＳ２５７）、ステップＳ２５６に移行される。
【００７１】
Ｋ番目の文字種類５１が属性候補にある場合（ステップＳ２５６；ＹＥＳ）、その属性候補の属性４２から、入力用フォームデータに使われる属性が決定され（ステップＳ２５８）、オペレータ入力属性決定処理が終了し、ステップＳ２６に移行される。ステップＳ２５８では、文字種類５１が属性候補に複数ある場合には、属性候補の入力数４５の少ない属性４２が選択される。さらに、属性候補の入力数４５も同じ値であれば、その入力数４５が同じ属性４２のうちの一つの属性がランダムに決定される。
【００７２】
図１４を参照して、フォーム作成処理のステップＳ２６の入力データ候補選択処理を説明する。ステップＳ２５の実行後、ステップＳ２５８で決定された属性に対応するフォーム作成用データ４０Ｃが作成され、フォーム作成用データ４０Ｃのうち、予め設定された最低入力数以下の入力数のレコードがあるか否かが判別される（ステップＳ２６１）。
【００７３】
最低入力数以下のレコードがある場合（ステップＳ２６１；ＹＥＳ）、最低入力数以下のレコード数が入力データ候補数以上あるか否かが判別される（ステップＳ２６２）。入力データ候補数は、予め設定される数であり、例えば８とする。最低入力数以下のレコード数が入力データ候補数以上ある場合（ステップＳ２６２；ＹＥＳ）、入力数の少ない８つのレコードが入力データ候補のレコードに決定される（ステップＳ２６３）。
【００７４】
最低入力数以下のレコード数が入力データ候補数未満である場合（ステップＳ２６２；ＮＯ）、最低入力数以下のレコードが入力データ候補に加えられる（ステップＳ２６４）。そして、フォーム作成用データ４０のうち、ステップＳ２５８で決定された属性で、最低入力数より大きいレコードのうち、入力精度４６が少ないレコードが、入力データ候補数が８個になるまで追加される（ステップＳ２６５）。最低入力数以下のレコードがない場合（ステップＳ２６１；ＮＯ）、ステップＳ２６５に移行される。
【００７５】
そして、ステップＳ２６３又はＳ２６５で決定された入力データ候補のレコードの順番がランダムに入れ替えられ、ステータス及び修正項目の項目が追加されて入力用フォームデータとして作成されてＤＢ１５１に記憶され（ステップＳ２６６）、入力データ候補選択処理が終了し、ステップＳ２７に移行される。この入力用フォームデータは、図８に示すような入力済フォームデータ６０のうち、ステータス６６及び修正項目６７にデータが入力されていない情報となる。
【００７６】
図１５を参照して、データ入力集計処理のステップＳ５のデータベース更新処理を説明する。ステップＳ４の実行後、ステップＳ４で受信されてＤＢ１５１に記憶された図８に示すような入力済フォームデータ６０が読み出される（ステップＳ５１）。そして、ステップＳ２６６で作成されてＤＢ１５１に記憶されたフォーム作成用データ４０が読み出される（ステップＳ５２）。
【００７７】
そして、変数Ｌに１が代入される（ステップＳ５３）。そして、入力済フォームデータ６０のＬ番目の修正項目６７に基づいて、ＤＢ１５１に記憶された、書類Ｎｏ、属性及び入力画像が対応する入力履歴データ７０の修正項目７２のうち、対応するものの投票数７３が＋１インクリメントされる（ステップＳ５４）。ステップＳ５４では、入力済フォームデータ６０でＯＣＲデータ６５のステータス６６が“正しい”である場合に、そのＯＣＲデータ６５＝修正項目７２であるレコードの投票数７３が＋１インクリメントされる。
【００７８】
そして、ステップＳ５４で投票された書類Ｎｏ、属性及び入力画像が対応する入力履歴データ７０が参照され、フォーム作成用データ４０の入力数４５が＋１インクリメントされるとともに、投票数７３が一番多い値が、フォーム作成用データ４０の入力数４５で割られ、そのパーセンテージが入力精度４６に更新される（ステップＳ５５）。
【００７９】
そして、入力済フォームデータ６０の次項目（（Ｌ＋１）番目のレコード）が存在するか否かが判別される（ステップＳ５６）。次項目が存在する場合（ステップＳ５６；ＹＥＳ）、変数Ｌが＋１インクリメントされ（ステップＳ５７）、ステップＳ５４に移行される。次項目が存在しない場合（ステップＳ５６；ＮＯ）、データベース更新処理が終了し、ステップＳ６に移行される。
【００８０】
図１６を参照して、データ入力集計処理のステップＳ８の集計処理を説明する。ステップＳ７の実行後、変数Ｎ，Ｍに１が代入される（ステップＳ８１）。そして、ＤＢ１５１からフォーム作成用データ４０が読み出され、そのＮ番目の書類（書類Ｎｏ４１）のＭ番目の属性４２の入力数４５及び入力精度４６が取得される（ステップＳ８２）。
【００８１】
そして、ステップＳ８２で取得された入力数４５及び入力精度４６が予め設定された要求精度を満たすか否かが判別される（ステップＳ８３）。入力数４５及び入力精度４６が要求精度を満たす場合（ステップＳ８３；ＹＥＳ）、ＤＢ１５１から、このＮ番目の書類のＭ番目の属性に対応する入力履歴データ７０が読み出され、投票数７３が最も多い修正項目７２が入力データとして採用される（ステップＳ８４）。
【００８２】
入力数４５及び入力精度４６が要求精度を満たさない場合（ステップＳ８３；ＮＯ）、管理者にＮ番目の書類のＭ番目の属性の修正入力を促す旨が表示部１４に表示され、管理者の修正入力が入力部１２を介して受け付けられる（ステップＳ８５）。そして、フォーム作成用データ４０に次属性（Ｎ番目の書類の（Ｍ＋１）番目の属性）があるか否かが判別される（ステップＳ８６）。次属性がある場合（ステップＳ８６；ＹＥＳ）、変数Ｍが＋１インクリメントされ（ステップＳ８７）、ステップＳ８２に移行される。
【００８３】
次属性がない場合（ステップＳ８６；ＮＯ）、フォーム作成用データ４０に次書類（（Ｎ＋１）番目の書類）があるか否かが判別される（ステップＳ８６）。フォーム作成用データ４０に次書類（（Ｎ＋１）番目の書類）があるか否かが判別される（ステップＳ８８）。次書類がある場合（ステップＳ８８；ＹＥＳ）、変数Ｎが＋１インクリメントされ、変数Ｍに１が代入され（ステップＳ８９）、ステップＳ８２に移行される。
【００８４】
次書類がない場合（ステップＳ８）、ステップＳ８４で採用されたＮ番目の書類のＭ番目の属性の修正項目７２と、ステップＳ８５で管理者に修正入力されたＮ番目の書類のＭ番目の属性と、に基づいて、図１０に示すような成果物データ８０が作成されＤＢ１５１に記憶され（ステップＳ９０）、集計処理が終了し、ステップＳ９に移行される。
【００８５】
図１７を参照して、データ入力集計処理のステップＳ１３のユーザプロファイル更新処理を説明する。データ入力集計処理のステップＳ１〜Ｓ１１は、少なくとも一人のオペレータを対象として行われる処理とする。
【００８６】
ステップＳ１１，Ｓ１２の実行後、変数Ｐ，Ｑ，Ｒに１が代入される（ステップＳ１３１）。そして、Ｐ番目のオペレータのＱ番目の入力済フォームデータ６０がＤＢ１５１から読み出される（ステップＳ１３２）。
【００８７】
そして、ステップＳ１３２で読み出されたＱ番目の入力済フォームデータ６０のＲ番目のレコードの書類Ｎｏ４１と一致する書類の成果物データ８０がＤＢ１５１から読み出される（ステップＳ１３３）。そして、ＤＢ１５１から定義データ３０が読み出され、成果物データ８０の属性８２に対応する文字種類３２が取得される（ステップＳ１３４）。
【００８８】
そして、Ｑ番目の入力済フォームデータ６０のＲ番目のレコードの修正項目６７が成果物データ８０のデータ８３に反映（採用）されているか否かが判別される（ステップＳ１３５）。修正項目６７がデータ８３に反映されていない場合（ステップＳ１３５；ＮＯ）、ステップＳ１３４で取得された文字種類３２に対応するＰ番目のオペレータのユーザプロファイル５０の入力数５２が＋１インクリメントされる（ステップＳ１３６）。修正項目６７がデータ８３に反映されている場合（ステップＳ１３５；ＹＥＳ）、ステップＳ１３４で取得された文字種類３２に対応するＰ番目のオペレータのユーザプロファイル５０の入力数５２及び採用数５３が＋１インクリメントされる（ステップＳ１３７）。
【００８９】
そして、変数Ｒが＋１インクリメントされる（ステップＳ１３８）。そして、Ｐ番目のオペレータのＱ番目の入力済フォームデータ６０のＲ番目のレコードが存在するか否かが判別される（ステップＳ１３９）。Ｒ番目のレコードが存在する場合（ステップＳ１３９；ＹＥＳ）、ステップＳ１３３に移行される。
【００９０】
Ｒ番目のレコードが存在しない場合（ステップＳ１３９；ＮＯ）、変数Ｑが＋１インクリメントされる（ステップＳ１４０）。そして、Ｐ番目のオペレータのＱ番目の入力済フォームデータ６０が存在するか否かが判別される（ステップＳ１４１）。Ｑ番目の入力済フォームデータ６０が存在する場合（ステップＳ１４１；ＹＥＳ）、ステップＳ１３２に移行される。
【００９１】
Ｑ番目の入力済フォームデータ６０が存在しない場合（ステップＳ１４１；ＮＯ）、変数Ｐが＋１インクリメントされる（ステップＳ１４２）。そして、Ｐ番目のオペレータが存在するか否かが判別される（ステップＳ１４３）。Ｐ番目のオペレータが存在する場合（ステップＳ１４３；ＹＥＳ）、ステップＳ１３２に移行される。Ｐ番目のオペレータが存在しない場合（ステップＳ１４３；ＮＯ）、ユーザプロファイル更新処理が終了し、データ入力集計処理が終了する。
【００９２】
次いで、図１８及び図１９を参照して、入力端末２０Ａ〜２０Ｃの動作を説明する。ここでは、入力端末２０Ａの動作を代表して説明する。図１８に、データ入力処理の流れを示す。図１９に、入力フォーム画面２００の構成を示す。
【００９３】
入力端末２０Ａで実行されるデータ入力処理を説明する。データ入力処理は、データセンタサーバ１０から入力用フォームデータを受信し、オペレータの修正入力を受け付け、その修正入力に基づいて入力済フォームデータを作成してデータセンタサーバ１０に送信する処理である。
【００９４】
入力端末２０Ａにおいて、例えば、データセンタサーバ１０から入力済フォームデータが受信開始されたことをトリガとして、記憶部２５から読み出されてＲＡＭ２３に展開されたデータ入力プログラムと、ＣＰＵ２１と、の協働でデータ入力処理が実行される。
【００９５】
図１８に示すように、先ず、全ての入力用フォームデータが通信ネットワークｎ及び通信部１６を介してデータセンタサーバ１０から受信されて記憶部２５に記憶される（ステップＳ１０１）。そして、入力端末２０Ａのオペレータに対応するステップＳ１０１で受信した入力用フォームデータのうち、１つの未選択の入力用フォームデータが選択され、その入力用フォームデータに基づく入力フォーム画面２００が表示部２４に表示される（ステップＳ１０２）。
【００９６】
ステップＳ１０２では、例えば、図１９に示す入力フォーム画面２００が表示部２４に表示される。入力フォーム画面２００は、番号２１０と、入力画像２２０と、ＯＣＲデータ２３０と、ステータス２４０と、修正項目２５０と、提出ボタン２６０と、を有する。ステータス２４０は、入力画像２２０とＯＣＲデータ２３０との比較に基づき、“正しい”、“判別不能”及び“修正可能”のいずれか一つの入力が受け付けられる。修正項目２５０は、ステータス２４０が“修正可能”である場合に、その修正する文字データの入力が受け付けられる。提出ボタン２６０は、押下により、ステータス２４０及び修正項目２５０の確定の入力を受け付ける。オペレータは、入力画像２２０とＯＣＲデータ２３０とを視覚で比較し、ステータス２４０、修正項目２５０及び提出ボタン２６０を入力する。
【００９７】
そして、その入力フォーム画面２００に基づき、入力部２２を介してオペレータのステータス２４０、修正項目２５０及び提出ボタン２６０のデータ入力が受け付けられる（ステップＳ１０３）。そして、ステップＳ１０１で受信した入力用フォームデータのうち、次入力用フォームデータ（未選択の入力用フォームデータ）があるか否かが判別される（ステップＳ１０４）。次入力用フォームデータがある場合（ステップＳ１０４；ＹＥＳ）、ステップＳ１０２に移行される。
【００９８】
次入力用フォームデータがない場合（ステップＳ１０４；ＮＯ）、ステップＳ１０３での入力に基づき、入力済フォームデータ６０が作成されて通信部２６及び通信ネットワークｎを介してデータセンタサーバ１０へ送信され（ステップＳ１０５）、データ入力処理が終了する。
【００９９】
以上、本実施の形態によれば、手書き書類Ｄ０をスキャナ１７で読み取り、その画像データを属性ごとに抽出するとともにＯＣＲデータを取得し、各属性の画像データ及びＯＣＲデータを関連付けて入力用フォームデータを作成し、この入力用フォームデータを入力端末２０Ａ〜２０Ｃで表示しオペレータの修正入力に基づいて入力済フォームデータ６０を作成してデータセンタサーバ１０に送信し、この入力済フォームデータ６０に基づいて集計結果としての成果物データ８０を作成する。このため、入力端末２０Ａ〜２０Ｃで表示される入力フォーム画面２００からオペレータが手書き書類の構成等を類推することが困難となり、データが記入された手書き書類Ｄ０のデータ入力におけるオペレータへの情報漏洩を防ぐことができる。
【０１００】
また、入力済フォームデータ６０に基づいて各属性の入力数を算出して、フォーム作成用データ４０にフィードバックし、データ入力集計処理のステップＳ２で入力数が低い属性を優先的に用いて入力用フォームデータを作成するので、入力数が小さい属性の入力数を優先的に上げることができ、成果物データ８０の信頼性を高めることができる。
【０１０１】
また、入力済フォームデータ６０に基づいて各属性の入力精度を算出して、フォーム作成用データ４０の入力精度４６にフィードバックするので、データ入力集計処理のステップＳ２で入力精度が低い属性を優先的に用いて入力用フォームデータを作成でき、入力精度の信頼性を高めることができる。
【０１０２】
また、オペレータごとにユーザプロファイル５０を作成し、データ入力集計処理のステップＳ２で採用数５３が高い属性を優先的に用いて入力用フォームデータを作成するので、各オペレータに採用数が高い属性の入力用フォームデータを割り当てることができ、成果物データ８０の信頼性を高めることができる。
【０１０３】
なお、上記各実施の形態における記述は、本発明に係る書類データ入力システム及びプログラムの一例であり、これに限定されるものではない。
【０１０４】
例えば、上記実施の形態では、各オペレータごとに、入力端末が設けられる構成であるが、これに限定されるものではない。例えば、１台の入力端末を複数のオペレータが共有して使用する構成としてもよい。この構成では、入力端末でのオペレータのログイン等により各オペレータを識別し、データセンタサーバ１０は、ログインしているオペレータに対応する入力用フォームデータを作成及び送信する。
【０１０５】
また、データセンタサーバ１０及び入力端末を１台の情報処理装置で実現する構成としてもよい。この構成では、管理者及びオペレータがそれぞれログインして情報処理装置を使用する。
【０１０６】
また、上記実施の形態では、オペレータ毎に各文字種類の入力数及び採用数を含むユーザプロファイル５０を生成する構成としたが、さらに、オペレータ毎の入力数及び採用数に基づいて、各オペレータの修正業務の報酬を算出する構成としてもよい。
【０１０７】
また、上記実施の形態では、手書き書類Ｄ０を画像読み取りの対象としたが、これに限定されるものではない。例えば、定型の印刷書類を画像読み取りの対象としてもよい。さらに、定義データを動的に作成可能な構成とし、任意の記入形式の書類を画像読取の対照としてもよい。
【０１０８】
また、上記実施の形態では、入力用フォームデータの送信及び入力済フォームデータの受信を同一フローで連続して行う構成としたが、これに限定されるものではない。例えば、入力用フォームデータの送信と、入力済フォームデータの受信と、を別々のフロー及びタイミングで行う構成としてもよい。
【０１０９】
また、上記実施の形態における書類データ入力システム１の各構成要素の細部構成及び細部動作に関しては、本発明の趣旨を逸脱することのない範囲で適宜変更可能であることは勿論である。
【図面の簡単な説明】
【０１１０】
【図１】本発明に係る実施の形態の書類データ入力システム１の構成を示すブロック図である。
【図２】データセンタサーバ１０の内部構成を示すブロック図である。
【図３】入力端末２０Ａの内部構成を示すブロック図である。
【図４】定義データ３０の構成を示す図である。
【図５】フォーム作成用データ４０の構成を示す図である。
【図６】（ａ）は、フォーム作成用データ４０Ａの構成を示す図である。（ｂ）は、フォーム作成用データ４０Ｂの構成を示す図である。（ｃ）は、ユーザプロファイル５０の構成を示す図である。
【図７】フォーム作成用データ４０Ｃの構成を示す図である。
【図８】入力済フォームデータ６０の構成を示す図である。
【図９】入力履歴データ７０の構成を示す図である。
【図１０】成果物データ８０の構成を示す図である。
【図１１】データセンタサーバ１０において実行されるデータ入力集計処理を示すフローチャートである。
【図１２】データ入力集計処理におけるフォーム作成処理を示すフローチャートである。
【図１３】フォーム作成処理におけるオペレータ入力属性決定処理を示すフローチャートである。
【図１４】フォーム作成処理における入力データ候補選択処理を示すフローチャートである。
【図１５】データ入力集計処理におけるデータベース更新処理を示すフローチャートである。
【図１６】データ入力集計処理における集計処理を示すフローチャートである。
【図１７】データ入力集計処理におけるユーザプロファイル更新処理を示すフローチャートである。
【図１８】データ入力処理を示すフローチャートである。
【図１９】入力フォーム画面２００の構成を示す図である。
【図２０】（ａ）は、従来の第１のデータ入力方式の手順を示す図である。（ｂ）は、従来の第２のデータ入力方式の手順を示す図である。
【図２１】従来の第３のデータ入力方式の手順を示す図である。
【符号の説明】
【０１１１】
１  書類データ入力システム
１０  データセンタサーバ
２０Ａ〜２０Ｃ  入力端末
１１，２１  ＣＰＵ
１２，２２  入力部
１３，２３  ＲＡＭ
１４，２４  表示部
１５，２５  記憶部
１５１  ＤＢ
１６，２６  通信部
１７  スキャナ
１８，２７  バス
ｎ  通信ネットワーク
【図１】
2007265105.tif 000003
【図２】
2007265105.tif 000004
【図３】
2007265105.tif 000005
【図４】
2007265105.tif 000006
【図５】
2007265105.tif 000007
【図６】
2007265105.tif 000008
【図７】
2007265105.tif 000009
【図８】
2007265105.tif 000010
【図９】
2007265105.tif 000011
【図１０】
2007265105.tif 000012
【図１１】
2007265105.tif 000013
【図１２】
2007265105.tif 000014
【図１３】
2007265105.tif 000015
【図１４】
2007265105.tif 000016
【図１５】
2007265105.tif 000017
【図１６】
2007265105.tif 000018
【図１７】
2007265105.tif 000019
【図１８】
2007265105.tif 000020
【図１９】
2007265105.tif 000021
【図２０】
2007265105.tif 000022
【図２１】
2007265105.tif 000023